(57)【要約】【課題】注湯弁が開いたままの状態を検出し、貯湯タンクから浴槽への湯水が供給され続けることを防止する貯湯式給湯機を提供すること。【解決手段】湯水を貯える貯湯タンク１と、貯湯タンク１内の湯水を沸き上げる熱源機と、貯湯タンク１から高温水を出湯する給湯管９と、給湯管９と水を供給する給水管１２とを接続する湯水混合弁１３ｂと、湯水混合弁１３ｂで混合された湯水を浴槽へと注湯する浴槽注湯管２４と、浴槽３０への湯水の供給を開始または停止する浴槽注湯弁２５と、浴槽３０へ供給する湯水の流量を検知する流量検知手段２６とを備え、浴槽注湯弁２５に湯水の供給を停止する信号が出力されているにも関わらず、流量検知手段２６で浴槽３０への湯水の供給が停止されていないことを検知すると、浴槽注湯弁２５に対して、湯水の供給を開始する開始信号と、湯水の供給を停止する停止信号とを、所定回数交互に繰り返し出力する。【選択図】図１
2008082635.tif 000002
【特許請求の範囲】
【請求項１】
湯水を貯える貯湯タンクと、前記貯湯タンク内の湯水を沸き上げる熱源機と、前記貯湯タンクから高温水を出湯する出湯管と、前記出湯管と水を供給する給水管とを接続する湯水混合弁と、前記湯水混合弁で混合された湯水を浴槽へと注湯する浴槽注湯管と、前記浴槽への湯水の供給を開始または停止する浴槽注湯弁と、前記浴槽へ供給する湯水の流量を検知する流量検知手段とを備え、前記浴槽注湯弁に湯水の供給を停止する信号が出力されているにも関わらず、前記流量検知手段で前記浴槽への湯水の供給が停止されていないことを検知すると、前記浴槽注湯弁に対して、湯水の供給を開始する開始信号と、湯水の供給を停止する停止信号とを、所定回数交互に繰り返し出力することを特徴とする貯湯式給湯機。
【請求項２】
湯水を貯える貯湯タンクと、前記貯湯タンク内の湯水を沸き上げる熱源機と、前記貯湯タンクから高温水を出湯する出湯管と、前記出湯管と水を供給する給水管とを接続する湯水混合弁と、前記湯水混合弁で混合された湯水を浴槽へと注湯する浴槽注湯管と、前記浴槽への湯水の供給を開始または停止する浴槽注湯弁と、前記貯湯タンク内の湯水と前記浴槽内の湯水との熱交換を行う風呂熱交換器と、前記浴槽注湯管に接続されるとともに前記浴槽の湯水を循環させて前記風呂熱交換器に通水する風呂循環回路と、前記風呂循環回路の湯水の循環を検知する湯水検知手段とを備え、前記浴槽注湯弁に湯水の供給を停止する信号が出力されているにも関わらず、前記流量検知手段で前記浴槽への湯水の供給が停止されていないことを検知すると、前記浴槽注湯弁に対して、湯水の供給を開始する開始信号と、湯水の供給を停止する停止信号とを、所定回数交互に繰り返し出力することを特徴とする貯湯式給湯機。
【請求項３】
浴槽注湯弁に対して、湯水の供給を開始する開始信号と、湯水の供給を停止する停止信号とを、所定回数交互に繰り返し出力しても、流量検知手段または湯水検知手段で浴槽への湯水の供給が停止されていないことを検知すると、湯水混合弁の開度を水側に全開にすることを特徴とする請求項１または２に記載の貯湯式給湯機。
【請求項４】
貯湯タンクの略中部から中温を出湯させる中温出湯管を備え、湯水混合弁と出湯管との間に、前記中温出湯管から出湯する中温水と前記出湯管から出湯する高温水とを混合する中温混合弁を設けることを特徴とする請求項１〜３のいずれか１項に記載の貯湯式給湯機。
【請求項５】
ユーザが動作を入力する操作部と、運転状況および設定内容を表示する表示部とを有したリモコンを備え、浴槽注湯弁に対して、湯水の供給を開始する開始信号と、湯水の供給を停止する停止信号とを、所定回数交互に繰り返し出力しても、流量検知手段または湯水検知手段で浴槽への湯水の供給が停止されていないことを検知すると、前記表示部には湯の供給が停止しないことのメッセージを表示することを特徴とする請求項１〜４のいずれか１項に記載の貯湯式給湯機。
【発明の詳細な説明】
【技術分野】
【０００１】
本発明は、貯湯タンクを有し、貯湯タンク内の湯水を浴槽に供給することで湯張り運転が可能な貯湯式給湯機に関する。
【背景技術】
【０００２】
従来、この種の貯湯式給湯機は、浴槽への湯張り運転を行うときに、浴槽へ貯湯タンク内の湯水を注湯する注湯弁を閉止した後の浴槽への湯の供給状態を監視する機能は設けられていなかった（例えば、特許文献１参照）。
【特許文献１】特開２００３−０４２５３４号公報
【発明の開示】
【発明が解決しようとする課題】
【０００３】
しかしながら、従来の構成では、注湯弁に対して停止出力を行っているにもかかわらず、注湯弁が開いたまま故障が発生する場合や、注湯弁にゴミが噛みこんで十分な閉塞能力が得られなかった場合などにおいては、貯湯タンクから浴槽へ湯水が供給され続ける状態となり、浴槽から湯水が溢れてしまうという不具合があった。また貯湯タンクには、限られた容量の湯しか貯えておくことができず、浴槽へ湯の供給が続く状態になると湯切れが発生してしまう。
【０００４】
本発明は、前記従来の課題を解決するもので、注湯弁が開いたまま故障が発生した場合や、注湯弁にゴミが噛みこんで十分な閉塞能力が得られない場合にも、その状態を検出し、貯湯タンクから浴槽への湯水が供給され続けることを防止する貯湯式給湯機を提供することを目的とする。
【課題を解決するための手段】
【０００５】
前記従来の課題を解決するために、本発明の貯湯式給湯機は、湯水を貯える貯湯タンクと、前記貯湯タンク内の湯水を沸き上げる熱源機と、前記貯湯タンクから高温水を出湯する給湯管と、前記給湯管と水を供給する給水管とを接続する湯水混合弁と、前記湯水混合弁で混合された湯水を浴槽へと注湯する浴槽注湯管と、前記浴槽への湯水の供給を開始または停止する浴槽注湯弁と、前記浴槽へ供給する湯水の流量を検知する流量検知手段とを備え、前記浴槽注湯弁に湯水の供給を停止する信号が出力されているにも関わらず、前記流量検知手段で前記浴槽への湯水の供給が停止されていないことを検知すると、前記浴槽注湯弁に対して、湯水の供給を開始する開始信号と、湯水の供給を停止する停止信号とを、所定回数交互に繰り返し出力することを特徴とするもので、注湯弁が開いたままの故障やゴミの噛みこみを解消することができる。
【０００６】
また、本発明の貯湯式給湯機は、湯水を貯える貯湯タンクと、前記貯湯タンク内の湯水を沸き上げる熱源機と、前記貯湯タンクから高温水を出湯する出湯管と、前記出湯管と水を供給する給水管とを接続する湯水混合弁と、前記湯水混合弁で混合された湯水を浴槽へと注湯する浴槽注湯管と、前記浴槽への湯水の供給を開始または停止する浴槽注湯弁と、前記貯湯タンク内の湯水と前記浴槽内の湯水との熱交換を行う風呂熱交換器と、前記浴槽注湯管に接続されるとともに前記浴槽の湯水を循環させて前記風呂熱交換器に通水する風呂循環回路と、前記風呂循環回路の湯水の循環を検知する湯水検知手段とを備え、前記浴槽注湯弁に湯水の供給を停止する信号が出力されているにも関わらず、前記流量検知手段で前記浴槽への湯水の供給が停止されていないことを検知すると、前記浴槽注湯弁に対して、湯水の供給を開始する開始信号と、湯水の供給を停止する停止信号とを、所定回数交互に繰り返し出力することを特徴とするもので、風呂熱交換器を備えた回路においても、
湯水検知手段にて湯水が供給され続けている状態を検知し、注湯弁が開いたままの故障やゴミの噛みこみを解消することができる。
【発明の効果】
【０００７】
本発明は、注湯弁が開いたまま故障が発生した場合や、注湯弁にゴミが噛みこんで十分な閉塞能力が得られない場合にも、その状態を検出し、貯湯タンクから浴槽への湯水が供給され続けることを防止する貯湯式給湯機を提供することができる。
【発明を実施するための最良の形態】
【０００８】
第１の発明の貯湯式給湯機は、湯水を貯える貯湯タンクと、前記貯湯タンク内の湯水を沸き上げる熱源機と、前記貯湯タンクから高温水を出湯する出湯管と、前記出湯管と水を供給する給水管とを接続する湯水混合弁と、前記湯水混合弁で混合された湯水を浴槽へと注湯する浴槽注湯管と、前記浴槽への湯水の供給を開始または停止する浴槽注湯弁と、前記浴槽へ供給する湯水の流量を検知する流量検知手段とを備え、前記浴槽注湯弁に湯水の供給を停止する信号が出力されているにも関わらず、前記流量検知手段で前記浴槽への湯水の供給が停止されていないことを検知すると、前記浴槽注湯弁に対して、湯水の供給を開始する開始信号と、湯水の供給を停止する停止信号とを、所定回数交互に繰り返し出力することにより、注湯弁が開いたままの故障やゴミの噛みこみを解消することができ、タンクから浴槽へ湯水が供給され続けることを防ぎ、貯湯タンクの湯切れを抑制し、湯切れ発生時に電気料金が割高な昼間時間帯に沸き上げ運転を行う場合の電気代の高騰を防止することができる。
【０００９】
第２の発明の貯湯式給湯機は、湯水を貯える貯湯タンクと、前記貯湯タンク内の湯水を沸き上げる熱源機と、前記貯湯タンクから高温水を出湯する出湯管と、前記出湯管と水を供給する給水管とを接続する湯水混合弁と、前記湯水混合弁で混合された湯水を浴槽へと注湯する浴槽注湯管と、前記浴槽への湯水の供給を開始または停止する浴槽注湯弁と、前記貯湯タンク内の湯水と前記浴槽内の湯水との熱交換を行う風呂熱交換器と、前記浴槽注湯管に接続されるとともに前記浴槽の湯水を循環させて前記風呂熱交換器に通水する風呂循環回路と、前記風呂循環回路の湯水の循環を検知する湯水検知手段とを備え、前記浴槽注湯弁に湯水の供給を停止する信号が出力されているにも関わらず、前記流量検知手段で前記浴槽への湯水の供給が停止されていないことを検知すると、前記浴槽注湯弁に対して、湯水の供給を開始する開始信号と、湯水の供給を停止する停止信号とを、所定回数交互に繰り返し出力することにより、貯湯タンク内の湯水を使用して浴槽内の湯水の追い焚きが可能な風呂熱交換器を備えた回路においても、湯水検知手段にて湯水が供給され続けている状態を検知し、注湯弁が開いたままの故障やゴミの噛みこみを解消することができ、タンクから浴槽へ湯水が供給され続けることを防ぎ、貯湯タンクの湯切れを抑制し、湯切れ発生時に電気料金が割高な昼間時間帯に沸き上げ運転を行う場合の電気代の高騰を防止することができる。
【００１０】
第３の発明の貯湯式給湯機は、特に第１または第２の発明において、浴槽注湯弁に対して、湯水の供給を開始する開始信号と、湯水の供給を停止する停止信号とを、所定回数交互に繰り返し出力しても、流量検知手段または湯水検知手段で浴槽への湯水の供給が停止されていないことを検知すると、湯水混合弁の開度を水側に全開にすることにより、貯湯タンクからの湯の使用を停止することができるので、無駄に貯湯タンク内の湯水を使用することを防止する。
【００１１】
第４の発明の貯湯式給湯機は、特に第１〜３の発明において、貯湯タンクの略中部から中温を出湯させる中温出湯管を備え、湯水混合弁と出湯管との間に、前記中温出湯管から出湯する中温水と前記出湯管から出湯する高温水とを混合する中温混合弁を設けることにより、中温水を使用することにより高温水の使用を減らし、より効率的な湯の使用が可能
となる。
【００１２】
第５の発明の貯湯式給湯機は、特に第１〜４の発明において、ユーザが動作を入力する操作部と、運転状況および設定内容を表示する表示部とを有したリモコンを備え、浴槽注湯弁に対して、湯水の供給を開始する開始信号と、湯水の供給を停止する停止信号とを、所定回数交互に繰り返し出力しても、流量検知手段または湯水検知手段で浴槽への湯水の供給が停止されていないことを検知すると、前記表示部には湯の供給が停止しないことのメッセージを表示することにより、サービスマンが当該機器の修理を行う際の不良箇所の特定に役立てることができる。
【００１３】
以下、本発明の実施の形態について、図面を参照しながら説明する。なお、この実施の形態によって本発明が限定されるものではない。
【００１４】
（実施の形態１）
図１は本実施の形態における貯湯式給湯機の構成図である。なお、図１に示す矢印は湯水または冷媒が循環する方向を示している。本実施の形態の貯湯式給湯機は、湯を貯える貯湯タンク１と、貯湯タンク１に貯えられた湯水を循環する循環ポンプ２と、冷媒と湯水が熱交換を行う水冷媒熱交換器３とを順次環状に給湯配管で接続し、図１に太線で示す給湯回路４を有し、さらに貯湯タンク１内の湯水を加熱する加熱源として、水冷媒熱交換器３と、冷媒を圧縮する圧縮機５と、外気から熱を吸熱する蒸発器６と、冷媒を減圧する膨張弁７とを順次環状に冷媒配管で接続し、図１に太線で示す冷媒回路８を有する。
【００１５】
本実施の形態において冷媒回路８は、水冷媒熱交換器３、圧縮機５、蒸発器６、膨張弁７が冷媒配管によって環状に接続され、冷媒には二酸化炭素を使用しているため、高圧側が臨界圧力を超える。そのため、水冷媒熱交換器３を流通する水に熱を奪われて温度が低下しても凝縮することがなく、水冷媒熱交換器で冷媒と水との間で温度差を形成しやすくなり、高温の湯が得られ、かつ、熱交換効率を高くすることができる。また、比較的安価でかつ安定な二酸化炭素を冷媒に使用しているので、製品コストを抑えるとともに、信頼性を向上させることができる。また、二酸化炭素はオゾン破壊係数がゼロであり、地球温暖化係数も代替冷媒ＨＦＣ−４０７Ｃの約１７００分の１と非常に小さいため、地球環境に優しい製品を提供できる。また、圧縮機５で冷媒が圧縮され、圧縮機５から吐出された冷媒が水冷媒熱交換器３で放熱し、膨張弁７で減圧されたあと、蒸発器６で空気から熱を吸収し、ガス状態で再び圧縮機５に吸入される。
【００１６】
また、貯湯タンク１の上部には、高温を出湯する給湯管９が接続されており、貯湯タンク１の下部には、水を供給するための給水管１０が、上水道からの水道圧を減圧させる減圧弁１１を介して接続されている。給湯管９は、給水管１０から分岐された給水管１２と湯水混合弁１３ａにて接続され、湯水混合弁１３ａにて適温に混合された後、カラン１４やシャワー１５から出湯される。また、湯水混合弁１３ａの出湯側の配管には、サーミスタ（湯温検出手段）１７ａが配設されており、湯水混合弁１３ａは、サーミスタ１７ａが目標温度になるように制御されている。カラン１４（シャワー１５）から出湯すると貯湯タンク１内に貯えられている高温の湯が使用され、それに伴い給水管１０から貯湯タンク１内に給水されるため、貯湯タンク１内は常に湯水で満たされた状態となっている。
【００１７】
また、貯湯タンク１内の湯水の沸き上げ時には、循環ポンプ２が駆動することにより、貯湯タンク１の下部に配設されたヒートポンプ往き口から貯湯タンク１内の湯水が出水され水冷媒熱交換器３に流れる。水冷媒熱交換器３では湯水と冷媒とが熱交換することで高温の温が生成され、貯湯タンク１の上部に配設されたヒートポンプ戻り口から貯湯タンク１内に返流される。そして貯湯タンク１内では比重差によって、上部が高温、下部が低温の湯温の温度層が形成される。貯湯タンク１には、貯湯タンク１内の湯水の温度を検出す
る複数のサーミスタ（残湯温度検出手段）１６ａ、１６ｂ、１６ｃ、１６ｄが配置されている。残湯温度検出手段の検出温度によって湯と水が分離している境界を判定し、貯湯タンク１内の貯湯量を判断している。
【００１８】
また、貯湯タンク１の上部には、高温を出湯する給湯管２１が接続されており、給湯管２１は、浴槽３０の水と、貯湯タンク１内の水とが熱交換する風呂熱交換器２２に接続されている。また、風呂熱交換器２２から流出する熱交換を行った後の湯は、貯湯タンク１の下部に返流される。このように本実施の形態の貯湯式給湯機は、貯湯タンク１と、風呂熱交換器２２と、循環ポンプ（以下、追い焚きポンプ）２８とを環状に給湯配管で接続し、図１に太線で示す風呂追炊き回路２３を有する。
【００１９】
また、本実施の形態の貯湯式給湯機は、浴槽３０を有しており、給湯管９と給水管１２とが湯水混合弁１３ｂにて接続され、湯水混合弁１３ｂにて適温に混合された後、浴槽注湯管２４を経て、浴槽３０に注湯される。浴槽注湯管２４には、浴槽への湯水の供給を開始および停止する浴槽注湯弁２５が介設されており、浴槽注湯弁２５の下流側に流量検知手段である流量センサ２６を備えている。
【００２０】
また、浴槽３０には、アダプタ２７が取り付けられており、アダプタ２７には、往き管３１と戻り管３２とが接続されている。戻り管３２と、湯水の有無を検知するフローセンサ３３と、風呂熱交換器２２と、循環ポンプ（以下、風呂ポンプ）３４と、往き管３１とを順次環状に給湯配管で接続し、図１に太線で示す風呂循環回路３５を有する。また風呂熱交換器２２とフローセンサ３３との間に、浴槽注湯管２４が接続される。
【００２１】
以上のように構成された貯湯式給湯機について、以下、浴槽への湯張り運転について説明する。
【００２２】
浴槽３０への湯張りは、給湯管９から出湯する高温水と、給水管１２からの水とを混合弁１３ｂで適温に混合されて、風呂循環回路３５に供給される。本実施の形態では混合弁１３ｂの出湯側の配管には、サーミスタ（湯温検出手段）１７ｂが配設されており、湯水混合弁１３ｂは、サーミスタ１７ｂが目標温度になるように制御されている。風呂循環回路３５に供給された後の湯水は、往き管３１、戻り管３２に分かれ、アダプタ２７から給湯される。
【００２３】
浴槽注湯管２４には、浴槽注湯弁２５と流量センサ２６とが介設されており、マイクロコンピュータ（制御装置）１８から浴槽３０への注湯を開始する開始信号／浴槽３０への注湯を停止する停止信号に応じて浴槽注湯弁２５の開閉が行われ、流量センサ２６によって検出した給湯量の情報がマイクロコンピュータ１８へ入力される。つまり流量センサ２６の情報（給湯量の検出情報）から、浴槽注湯弁２５の開状態／閉状態を判断することができる。
【００２４】
次に、浴槽内の湯水の追い焚き運転について説明する。
【００２５】
浴槽３０内の湯水の追い焚きは、貯湯タンク内の湯水を循環させる風呂追炊き回路２３と、浴槽３０内の湯水を循環させる風呂循環回路３５とが、風呂熱交換器２２にて熱交換を行うことによって実現している。
【００２６】
浴槽３０内の湯水を追い炊きするときは、風呂追炊き回路２３において、追い焚きポンプ２８が駆動することによって貯湯タンク１内の湯が給湯管２１を経て風呂熱交換器２２に流入し、風呂熱交換器２２で放熱した後、貯湯タンク１の下部に返流される。
【００２７】
同時に、風呂循環回路３５において、風呂ポンプ３４が駆動することによって浴槽３０内の湯が風呂熱交換器２２に流入し、風呂熱交換器２２で受熱した後、浴槽３０に返流される。また風呂循環回路３５には、風呂熱交換器２２の入口側にサーミスタ（風呂温度検出手段）３７、風呂熱交換器２２の出口側に湯水検知手段であるフローセンサ３３が設けられており、サーミスタ３７の検出した温度が所定の温度になった時に、追い炊きポンプ２８および風呂ポンプ３４を停止し、風呂の追い炊き運転を終了する。
【００２８】
フローセンサ３３では、湯水の有無を検知すると、湯水の有無情報がマイクロコンピュータ１８へ入力される。フローセンサ３３を戻り管３２に介設することで、浴槽３０への湯水の供給方向と、風呂の追い炊き時の湯水の流通方向とが同じ方向となるため、フローセンサ３３でも風呂注湯弁２５の開状態／閉状態を判断することができる。また、風呂ポンプ３４を駆動させることで浴槽３０内の湯水を風呂循環回路３５に通水させるが、風呂ポンプ３４を駆動させてもフローセンサ３３で湯水を検知しない場合は、アダプタ２７よりも浴槽３０内の湯水の水面が下にあることを意味し、フローセンサ３３によって浴槽３０内の湯水の水面位置を判断することもできる。
【００２９】
図２は、本実施の形態における貯湯式給湯機の湯張り運転のフローチャートである。図２を用いて本実施の形態における貯湯式給湯機の湯張り運転について説明する。
【００３０】
（ステップ１）浴槽３０への湯張り運転を行うために、ユーザーがリモコン５０の操作部５１で湯張り運転開始の操作を行い、湯張り運転が開始する。次に、ステップ２に進む。
【００３１】
（ステップ２）湯張り運転が開始されると、マイクロコンピュータ１８から浴槽注湯弁２５に給湯開始の出力が行われ、浴槽注湯弁２５が開状態となり浴槽３０への給湯が開始される。次に、ステップ３に進む。
【００３２】
（ステップ３）流量センサ２６で浴槽３０への給湯量を計測し、予め定められた所定量に到達したかどうかを判断する。所定量に未達の場合には、所定量になるまで計測を継続し、所定量に達していれば、ステップ４に進む。
【００３３】
（ステップ４）浴槽３０への給湯量が所定量に達すると同時に、マイクロコンピュータ１８から浴槽注湯弁２５に給湯停止の出力が行われ、浴槽注湯弁２５を閉状態にさせる。次に、ステップ５に進む。
【００３４】
（ステップ５）流量センサ２６の出力情報を基に、給湯がなしの状態であれば、ステップ９に進み、給湯がある場合であれば、ステップ６に進む。
【００３５】
（ステップ６）給湯がある場合には、浴槽注湯弁２５が開いたまま故障が発生したか、浴槽注湯弁２５にゴミが噛みこんで十分な閉塞能力を得ることができていないと判断し、浴槽注湯弁２５に対して、開状態になる信号と閉状態になる信号とを予め定められた所定回数分、交互に繰り返して出力させる。次に、ステップ７に進む。
【００３６】
例えば、浴槽注湯弁２５がパイロット弁で構成されており、給湯の開始信号ではソレノイドコイルに通電を行うことで発生する磁力により、シリンダー内のプランジャーが開の位置へ動き、停止信号ではソレノイドコイルに通電を止めることで、バネ圧によりプランジャーが閉の位置へ戻る構造であったとする。浴槽注湯弁３０が開いたままの故障においては、何らかの要因により、プランジャーがシリンダー内で引っかかり、閉の位置へ戻らないことが想定される。そのため、開状態になる信号（開始信号）と閉状態になる信号（停止信号）を所定回数、交互に繰り返し出力することによって、磁力とバネ圧がプランジ
ャーに交互に加わることになり、引っかかりが解消されることが期待できる。またゴミの噛みこみに対しても、開状態になる信号（開始信号）と閉状態になる信号（停止信号）を所定回数、交互に繰り返し出力することによって、ゴミが除去されることが期待できる。
【００３７】
（ステップ７）マイクロコンピュータ１８から浴槽注湯弁２５に給湯停止の出力が行われ、浴槽注湯弁２５を閉状態にさせる。次に、ステップ８に進む。
【００３８】
（ステップ８）再度、流量センサ２６による給湯量の確認を行い、給湯がなしの状態であれば、ステップ９に進み、給湯がある場合には、ステップ１０に進む。
【００３９】
（ステップ９）給湯が正常に終了したとして、リモコン５０の表示部５２に、例えば「風呂運転が終了しました」などの表示を行うとともに、確実に給湯が停止したことが確認できたので、風呂ポンプ３４を駆動することによって浴槽３０内の水位が、アダプタ２７を超えているかどうかの循環チェックや、浴槽３０内の湯水の追い炊き運転など、次の動作へ移行する。
【００４０】
（ステップ１０）給湯が異常に終了したとして、浴槽注湯弁２５が開状態のままなので、浴槽３０内には水が流れ続けるが、リモコン５０の表示部５２に、例えば「風呂運転が終了しました」などの表示を行うことによって、風呂運転が確実に終了されていることをユーザーに知らせるとともに、その他の異常が発生していることをユーザーに知らせる。この時、例えば、「湯の供給が停止しません」などの表示を行うことによって、サービスマンが修理を行うときの不良箇所の特定に役立てることができる。また、この時湯水混合弁１３ｂの開度を、水側に全開の位置まで駆動することによって、貯湯タンク１からの湯の無駄な流出を防止することができる。
【００４１】
以上のように、本発明の実施の形態において、流量センサ２６で浴槽３０への湯水の供給が停止されていないことを検知すると、浴槽注湯弁２５に対して、湯水の供給を開始する開始信号と、湯水の供給を停止する停止信号とを、所定回数、交互に繰り返し出力することによって、浴槽注湯弁２５が開いたままの故障やゴミの噛みこみを解消することができ、タンクから浴槽へ湯水が供給され続けることを防ぎ、貯湯タンクの湯切れを抑制することができる。
【００４２】
また、本実施の形態においては、流量センサ２６を用いて浴槽３０への給湯が停止されているか否かを判断したが、風呂循環回路３５に配設されているフローセンサ３３を用いても同様の効果を得ることができる。
【００４３】
（実施の形態２）
図３は、本実施の形態における貯湯式給湯機の構成図である。なお、実施の形態１と同じ部分については同じ符号を付して、その説明を省略する。本実施の形態では、浴槽３０への出湯構成に、貯湯タンク１の中温部を出湯させる中温出湯管を設けた点で実施の形態１と相違し、その他の構成は同じである。以下、本実施の形態における貯湯式給湯機の構成について説明する。
【００４４】
図３において、貯湯タンク１内の略中部に中温出湯管４１を配設し、貯湯タンク１から中温水を出湯できる構成としている。浴槽３０への出湯に伴い、貯湯タンク１の上方部に配設された給湯管９から高温の湯が出湯され、中温混合弁４０にて高温水と中温水が混合され、さらにその下流で湯水混合弁１３ｂによって水と混合される構成となっている。
【００４５】
また、給湯温度によっては、高温水、中温水のどちらか一方のみを使用してもよく、高温水の出湯を抑えることができる。浴槽３０へ供給する湯水の設定温度が、中温出湯管４
１から出湯される湯水の温度よりも低い場合には、中温混合弁４０の入り口を中温水側に全開にしておくことで、高温水の出湯を抑えることができる。
【００４６】
以上のように、浴槽３０への給湯に中温水を使用することにより、高温水の使用を減らし、より効率的な湯の使用が可能となり、ひいてはランニングコストを低減することができる。
【００４７】
また、実施の形態１と同様な制御を行うことで、浴槽注湯弁２５の異常を解消することができる。
【産業上の利用可能性】
【００４８】
以上のように、本発明はヒートポンプ式の貯湯式給湯機に限らず、電気、ガス、石油、燃料電池などいずれの方式においても、一つの貯湯タンクから湯水を供給する貯湯式給湯機に利用することができる。
【図面の簡単な説明】
【００４９】
【図１】実施の形態１における貯湯式給湯機の構成図
【図２】実施の形態１における浴槽の湯張り運転のフローチャート
【図３】実施の形態２における貯湯式給湯機の構成図
【符号の説明】
【００５０】
１  貯湯タンク
２  循環ポンプ
３  水冷媒熱交換器
４  給湯回路
５  圧縮機
６  蒸発器
７  膨張弁
８  冷媒回路
９  給湯管
１０  給水管
１１  減圧弁
１２  給水管
１３ａ、１３ｂ  湯水混合弁
１４  カラン
１５  シャワー
１７ａ、１７ｂ  サーミスタ（湯温検出手段）
１８  制御装置（マイクロコンピュータ）
２１  給湯管
２２  風呂熱交換器
２３  風呂追い炊き回路
２４  浴槽注湯管
２５  浴槽注湯弁
２６  流量センサ（流量検出手段）
２７  アダプタ
２８  循環ポンプ（追い炊きポンプ）
３０  浴槽
３１  往き管
３２  戻り管
３３  フローセンサ
３４  循環ポンプ（風呂ポンプ）
３５  風呂循環回路
３７  サーミスタ（風呂温度検出手段）
４０  中温混合弁
４１  中温出湯管
５０  リモコン
５１  操作部
５２  表示部
【図１】
2008082635.tif 000003
【図２】
2008082635.tif 000004
【図３】
2008082635.tif 000005